(57)【要約】【課題】高床式の利点を有効利用し、掃除する際に前枠を下方へスライド移動させてペット収容空間の前方への開口面積を大きく確保できるとともに、扉開放時の軌跡を必要最小限にして障害物を取り除く作業の煩わしさを軽減できる高床式のペット用ケージを提供する。【解決手段】椅子への着座姿勢やベッドでの就寝姿勢での飼い主の目線に対しペットの目線がほぼ同じ高さに近付けられるように、ペット収容空間２Ａの床２１を高床式にする。ペット収容空間２Ａを、その前面側を覆う前枠３と、残る周囲を覆う周囲枠４とによって平面視で略ロの字状に囲む。周囲枠４の両端に、前枠３の左右両端を下方へスライド自在に支持する前端スライド溝４２２を設け、その前端スライド溝４２２の上部に位置しているときに、前枠３をスライド不能に保持可能とし、かつペット収容空間２Ａからのペットの出入りが可能な出入口６３を設け、この出入口６３を開閉する扉３４を設ける。【選択図】図２
2017035039.tif 000002
【特許請求の範囲】
【請求項１】
飼い主が椅子への着座姿勢やベッドでの就寝姿勢にあるときに、飼い主自身の目線に対しペットの目線がほぼ同じ高さまで近付けられるように、当該ペットを収容するペット収容空間の床を高床式に形成するケージ本体を備えた高床式のペット用ケージであって、
前記ペット収容空間は、その前面側を覆う前枠と、残る周囲を覆う周囲枠とによって囲まれ、
前記周囲枠の両端には、前記前枠の左右両端を下方へスライド自在に支持するスライド溝がそれぞれ設けられているとともに、この各スライド溝には、前記前枠が前記各スライド溝の上部に位置しているときにその前枠をスライド不能に保持するように当該前枠の左右両端に設けられた進退自在な進退軸部材をそれぞれ進出時に挿通する挿通孔が設けられており、
前記前枠には、当該前枠が前記各スライド溝の上部に保持された状態で前記ペット収容空間からのペットの出入りを可能とする出入口が設けられているとともに、この出入口を開閉する扉が設けられていることを特徴する高床式のペット用ケージ。
【請求項２】
前記ケージ本体の設置面と前記ペット収容空間の床との高低差を解消するスロープ又は階段が、前記前枠の出入口の開口縁の左右両位置に取付部材を介して脱着可能に取り付けられている請求項１に記載の高床式のペット用ケージ。
【請求項３】
前記進退軸部材は、係止片部を有する係止軸を備えている一方、
前記挿通孔は、その挿通孔内の下部側に凹部を形成し、前記進退軸部材の係止片部を係止軸と共に挿通しかつ前記前枠とともに前記進退軸部材を下げて、前記挿通孔内の凹部に前記係止片部を係止するようにしている請求項１又は請求項２に記載の高床式のペット用ケージ。
【請求項４】
前記周囲枠のうち、室内の壁面に沿って配置される枠は、その枠体内を覆って前記壁面を保護するパネル材を備えている請求項１〜請求項３のいずれか１つに記載の高床式のペット用ケージ。
【発明の詳細な説明】
【技術分野】
【０００１】
本発明は、ペットを収容するペット収容空間の床を高床式に形成した高床式のペット用ケージに関し、詳しくは、ペット収容空間の掃除やペットの出し入れを効率よく簡単に行えるようにする対策に係る。
【背景技術】
【０００２】
近年、犬等のペットを家屋内の一定の場所に入れておくために、ペット用ケージが用いられている。
【０００３】
このようなペット用ケージとしては、ペット収容空間がその前面側を覆う前枠と残る周囲を覆う周囲枠とによって囲まれたものが知られている（たとえば、特許文献１参照）。そして、前枠に開口部が設けられ、この開口部を開閉する扉が前方へ開放可能に設けられ、ペット収容空間からのペットの出し入れが扉の開閉によって行われるようにしている。
【０００４】
また、飼い主が椅子への着座姿勢やベッドでの就寝姿勢にあるときに、飼い主自身の目線に対しペットの目線がほぼ同じ高さに近付けられるように、ペット収容空間の床を高床式に形成した高床式のペット用ケージもある。
【先行技術文献】
【特許文献】
【０００５】
【特許文献１】特開２０１０−２６８６９６号公報
【発明の概要】
【発明が解決しようとする課題】
【０００６】
ところで、前枠の扉が前方へ開放する場合には、開口部の前方つまり扉の開放時の軌跡上に障害物が存在しないように取り除いてから、扉を開放する必要がある。このとき、ペット収容空間の掃除を行う上で、当該ペット収容空間の前方への開口面積を大きくしたいという要求がある。
【０００７】
しかし、ペット収容空間の前方への開口面積が大きくなると、扉自体も大きくなって扉の開放時の軌跡も大きくなるため、扉の開放時に干渉する障害物も自ずと多くなる。一方、ペットの出し入れには当該ペットが出入りできればさほど大きな開口面積を必要とはしない。そのため、ペットを出し入れする都度、開放時の軌跡が大きい扉を開放するに当たって、障害物を取り除く作業が非常に煩わしいものとなる。これは、高床式のペット用ケージにあっても、前方へ開放する扉を採用していれば、同様の課題が存在し、その対策が切望されていた。
【０００８】
本発明は、かかる点に鑑みてなされたものであり、その目的とするところは、高床式の利点を有効利用して、掃除する際に前枠を前方へ開放させることなく下方へスライド移動させてペット収容空間の前方への開口面積を大きく確保することができるとともに、扉開放時の軌跡を非常に小さなものにして障害物を取り除く作業の煩わしさを軽減することができる高床式のペット用ケージを提供することにある。
【課題を解決するための手段】
【０００９】
前記目的を達成するため、本発明では、飼い主が椅子への着座姿勢やベッドでの就寝姿勢にあるときに、飼い主自身の目線に対しペットの目線がほぼ同じ高さに近付けられるように、当該ペットを収容するペット収容空間の床を高床式に形成するケージ本体を備えた高床式ペット用ケージを前提とし、前記ペット収容空間を、その前面側を覆う前枠と、残る周囲を覆う周囲枠とによって囲む。そして、前記周囲枠の両端に、前記前枠の左右両端を下方へスライド自在に支持するスライド溝をそれぞれ設けるとともに、この各スライド溝に、前記前枠が前記各スライド溝の上部に位置しているときにその前枠をスライド不能に保持するように当該前枠の左右両端に設けられた進退自在な進退軸部材をそれぞれ進出時に挿通する挿通孔を設けている。更に、前記前枠に、当該前枠が前記各スライド溝の上部に保持された状態で前記ペット収容空間からのペットの出入りを可能とする出入口を設けるとともに、この出入口を開閉する扉を設けている。
【００１０】
また、前記ケージ本体の設置面と前記ペット収容空間の床との高低差を解消するスロープ又は階段を、前記前枠の出入口の開口縁の左右両位置に取付部材を介して脱着可能に取り付けていてもよい。
【００１１】
また、前記進退軸部材は、係止片部を有する係止軸を備えている一方、前記挿通孔は、その挿通孔内の下部側に凹部を形成し、前記進退軸部材の係止片部を係止軸と共に挿通しかつ前記前枠とともに前記進退軸部材を下げて、前記挿通孔内の凹部に前記係止片部を係止するようにしていてもよい。
【００１２】
また、前記周囲枠のうち、室内の壁面に沿って配置される枠は、その枠体内を覆って前記壁面を保護するパネル材を備えることがこのましい。
【００１３】
更に、前記周囲枠を、後枠と左右両側枠とによって平面視で略コの字状に形成するとともに、前記前枠とを合わせて前記ペット収容空間を平面視で略ロの字状に囲むように形成する。また、前記ペット収容空間の上方を、前後に分割された前後２枚の屋根部材によって覆い、前記各屋根部材は、互いに隣接する隣接辺同士がヒンジによって中折れ可能に支持されているとともに、互いに離反する離反辺近傍の左右両側辺よりそれぞれ左右方向外方向きに突出する前後の左右一対の突起を備える。そして、前記各突起のうちの後側の左右一対の突起を、前記左右両側枠の後端に回動自在に支持する一方、前側の左右一対の突起を、前記左右両側枠の上端部をそれぞれ前後方向へ延びる溝内に摺動自在に支持し、かつ前記各溝の前後方向の複数箇所に凹設された各凹部に係止するようにしていてもよい。
【発明の効果】
【００１４】
以上、要するに、ペット収容空間の前面側を除く残る周囲を覆う周囲枠の両端にスライド溝をそれぞれ設け、この各スライド溝に設けた挿通孔に、左右両端を下方へスライド自在に支持した前枠が各スライド溝の上部に位置しているときにその前枠の左右両端の進退軸部材をそれぞれ進出により挿通させて当該前枠をスライド不能に保持し、下方へスライド自在な前枠をペット収容空間の前面側を覆う位置で拘束している。
その場合、前枠に、当該前枠が各スライド溝の上部に位置しているときにペット収容空間からのペットの出入りを可能とする出入口とこの出入口を開閉する扉とを設けることで、高床式の利点を有効利用して、掃除する際に前枠を前方へ開放させることなく下方へスライド移動させてペット収容空間の前方への開口面積を大きく確保することができるとともに、扉開放時の軌跡を非常に小さなコンパクトなものにして障害物を取り除く作業の煩わしさを軽減することができる。
【００１５】
また、ケージ本体の設置面とペット収容空間の床との高低差を解消するスロープ又は階段を前枠の出入口の開口縁の左右両位置に取付部材を介して脱着可能に取り付けることで、スロープ又は階段を出入口の開口縁に確実に固定して、高床式のペット用ケージのペット収容空間にペットを無理なく自力で安全に出入りさせることができる。
【００１６】
また、周囲枠両端の各スライド溝の挿通孔内の下部側に凹部を形成し、この凹部に、進退軸部材の係止片部を係止軸と共に挿通しかつ前枠とともに進退軸部材を下げて係止片部を係止することで、前枠によってペット収容空間の前面側を覆った際に当該前枠と周囲枠両端とを進退軸部材により係止し、周囲枠両端の前枠から離反する方向への開きを確実に防止することができる。
【００１７】
また、周囲枠のうちの室内の壁面に沿って配置される枠に、その枠体内を覆って壁面を保護するパネル材を備えることで、パネル材によって室内の壁面へのペットによる汚れの付着を効果的に防止することができる。
【００１８】
更に、後枠と左右両側枠とで略コの字状に形成した周囲枠と前枠とでペット収容空間を略ロの字状に囲むように形成し、ペット収容空間の上方を、前後に分割した前後２枚の屋根部材によって覆い、各屋根部材を、互いに隣接する隣接辺同士がヒンジによって中折れ可能に支持する。そして、互いに離反する離反辺近傍の左右両側辺よりそれぞれ左右方向外方向きに突出する前後の左右一対の突起のうちの後側の左右一対の突起を、左右両側枠の後端に回動自在に支持する一方、前側の左右一対の突起を、左右両側枠の上端部をそれぞれ前後方向へ延びる溝内に摺動自在に支持し、かつ各溝の前後方向の複数箇所に凹設された各凹部に係止することで、前側の左右一対の突起を溝内で摺動させて任意の各凹部に係止すれば、各屋根部材によるペット収容空間上方の開口面積を簡単に変更することができる。
【図面の簡単な説明】
【００１９】
【図１】本発明の第１の実施の形態に係る高床式のペット用ケージの平面図である。
【図２】図１のペット用ケージの斜視図である。
【図３】図２のペット用ケージの左側枠をペット収容空間側から見た背面図である。
【図４】図２のペット用ケージの右側枠をペット収容空間側から見た背面図である。
【図５】図２のペット用ケージの後枠をペット収容空間側から見た背面図である。
【図６】図２のペット用ケージの前枠を前方から見た正面図である。
【図７】図６の前枠の出入口から扉を取り外した状態での正面図である。
【図８】前枠を下方にスライドさせた状態でのペット用ケージの斜視図である。
【図９】図１のペット用ケージの２枚の屋根部材の平面図である。
【図１０】図３の左側枠の上部において開閉する２枚の屋根部材の段階的な動作をペット収容空間側から示す側面図である。
【図１１】屋根部材によりペット収容空間の上方の開口面積の略半分を開放させた状態でのペット用ケージの斜視図である。
【図１２】屋根部材によりペット収容空間の上方の開口面積の略３／４を開放させた状態でのペット用ケージの斜視図である。
【図１３】屋根部材によりペット収容空間の上方の開口面積をほぼ全開放させた状態でのペット用ケージの斜視図である。
【図１４】屋根部材によりペット収容空間の上方の開口面積をほぼ全開放させかつ前枠を下方にスライドさせた状態でのペット用ケージの斜視図である。
【図１５】図６の前枠の出入口の周縁に取り付けられるスロープの平面図である。
【図１６】図１５のスロープを取り付けた状態でのペット用ケージの斜視図である。
【図１７】図２のペット用ケージの棚部材の平面図である。
【図１８】第１の実施の形態の変形例に係るペット用ケージの斜視図である。
【図１９】図１８のペット用ケージの左側枠をペット収容空間側から見た背面図である。
【図２０】図１８のペット用ケージの前枠を前方から見た正面図である。
【図２１】図１８のペット用ケージの２枚の屋根部材を上方から見た平面図である。
【図２２】本発明の第２の実施の形態に係る高床式のペット用ケージの平面図である。
【図２３】図２２のペット用ケージの斜視図である。
【図２４】図２２のペット用ケージの後枠をペット収容空間側から見た背面図である。
【図２５】図２２のペット用ケージの前枠を前方から見た正面図である。
【図２６】図２２のペット用ケージの２枚の屋根部材を上方から見た平面図である。
【発明を実施するための形態】
【００２０】
以下、本発明の実施の形態を添付した図面により詳細に説明する。
【００２１】
先ず、図１は本発明の第１の実施の形態に係る高床式のペット用ケージの平面図、図２はペット用ケージの斜視図をそれぞれ示している。この図１及び図２において符号１Ａで示すペット用ケージは、飼い主が椅子への着座姿勢やベッドでの就寝姿勢にあるときに、飼い主自身の目線に対しペットの目線がほぼ同じ高さに近付けられるように、当該ペットを収容するペット収容空間２Ａの床２１を高床式に形成するケージ本体１０Ａを備えている。ペット収容空間２Ａは、その前面側を覆う前枠３と、残る周囲を覆う周囲枠４とによって囲まれている。この場合、前枠３及び後枠４１は、左右方向の長さが約９０ｃｍに設定されている。
【００２２】
図３はペット用ケージ１Ａの左側枠をペット収容空間２Ａ側から見た背面図、図４はペット用ケージ１Ａの右側枠をペット収容空間２Ａ側から見た背面図、図５はペット用ケージ１Ａの後枠をペット収容空間２Ａ側から見た背面図をそれぞれ示している。
【００２３】
図３〜図５において、周囲枠４は、後枠４１と左右両側枠４２，４３とを備え、後枠４１の左右両端は左右両側枠４２，４３の後端上部にそれぞれ止着されて、平面視で略コの字状に形成されている。また、周囲枠４は、その両端に左右両端が連結された前枠３とを合わせてペット収容空間２Ａを平面視で略ロの字状に囲むように形成されている。この場合、ケージ本体１０Ａの床２１は、左右両側枠４２，４３の上下方向略中央部付近に止着され、ケージ本体１０Ａを設置する設置面としてのフロア面Ｆから約６０ｃｍ程度上方に位置するように設定されている。
【００２４】
図６はペット用ケージ１Ａの前枠３を前方から見た正面図、図７は前枠３の出入口から扉を取り外した状態での正面図をそれぞれ示している。図６及び図７において、前枠３は、略矩形枠状の枠体３０と、この枠体３０の上下両端間に設けられた柵状体３１とを備えている。また、周囲枠４のうちの左右両側枠４２，４３も、略矩形枠状の枠体４２０，４３０と、この枠体４２０，４３０の上下両端間に設けられた柵状体４２１，４３１とを備えている。これらの枠体３０，４２１，４３１のうち、前枠３の枠体３０は、木製の４本の角材を組んで略ロの字状に形成されているのに対し、左右両側枠４２，４３の枠体４２０，４３０は、木製の５本の角材を組んで略日の字状に形成されている。また、柵状体３１，４２１，４３１は細い金属棒を格子状に組み上げて形成されている。一方、後枠４１は、室内の壁面に沿って配置される関係上、略矩形枠状の枠体４１０と、この枠体４１０内に設けられた木製のパネル材４１１とを備えている。この後枠４１は、パネル材４１１によって、枠体４１０内を覆って壁面を保護している。これにより、パネル材４１１によって室内の壁面へのペットによる汚れの付着を効果的に防止することができる。
【００２５】
図８は前枠３を下方にスライドさせた状態でのペット用ケージ１Ａの斜視図を示している。この図８にも示すように、周囲枠４の両端、つまり左右両側枠４２，４３の枠体４２０，４３０の前端部には、上下方向へ延びる前端スライド溝４２２，４３２がそれぞれ左右方向外方向きに凹設されている。この各前端スライド溝４２２，４３２には、前枠３の枠体３０の左右両端が上下方向へスライド自在に支持されている。これにより、高床式の利点を有効利用して、掃除する際に前枠３を前方へ開放させることなく下方へスライド移動させてペット収容空間２Ａの前方の開口面積を大きく確保することができる。
【００２６】
また、各前端スライド溝４２２，４３２には、その底部上端を左右方向へ貫通する挿通孔としての貫通孔４２３，４３３が設けられている。一方、前枠３の枠体３０の左右両端の上部には、左右方向へ進退自在な進退軸部材３２がそれぞれ設けられている。この各進退軸部材３２は、図示しない付勢ばねによって左右方向内方向きに付勢され、前枠３が各前端スライド溝４２２，４３２の上部に位置しているときつまりペット収容空間２Ａの前面側を覆っているときに各前端スライド溝４２２，４３２上端の貫通孔４２３，４３３に進出して挿通され、前枠３を各前端スライド溝４２２，４３２の上部においてスライド不能に保持し、下方へスライド自在な前枠３をペット収容空間２Ａの前面側を覆う位置で拘束している。
【００２７】
各進退軸部材３２は、先端に係止片部３２１を有する係止軸３２２を備えている。この係止軸３２２の基端は前枠３の枠体３０よりも左右方向内方に露呈しており、この露呈する基端によって、進退軸部材３２の係止片部３２１及び係止軸３２２を貫通孔４２３，４３３から付勢ばねの付勢力に抗して退出させる操作を可能にしている。また、係止片部３２１は、係止軸３２２の先端において当該係止軸３２２よりも下方へ拡張された板状を呈している。一方、各前端スライド溝４２２，４３２上端の貫通孔４２３，４３３の外縁には、左右方向内方向きに凹む凹部４２４，４３４が形成され、この凹部４２４，４３４と各進退軸部材３２の係止片部３２１とが左右側面視でほぼ一致する形状となっている。そして、貫通孔４２３，４３３内に各進退軸部材３２の係止片部３２１が係止軸３２２と共に挿通され、かつ前枠３と共に各進退軸部材３２が下げられると、各進退軸部材３２の付勢ばねの付勢力によって、貫通孔４２３，４３３外縁の凹部４２４，４３４に係止片部３２１が係止され、左右両側枠４２，４３の枠体４２０，４３０の前端上部が前枠３の枠体３０の左右両端に対して押し付けられるようになっている。これにより、前枠３によってペット収容空間２Ａの前面側を覆った際に当該前枠３の枠体３０の左右両端と左右両側枠４２，４３の枠体４２０，４３０の前端上部とを各進退軸部材３２により係止し、左右両側枠４２，４３の枠体４２０，４３０の前端上部の前枠３から離反する方向への開きを確実に防止することができる。
【００２８】
図９はペット用ケージ１Ａの２枚の屋根部材の平面図を示している。この図９にも示すように、ペット収容空間２Ａの上方は、前後に分割された前後２枚の屋根部材５１，５２によって覆われている。各屋根部材５１，５２は、略矩形枠状の枠体５１０，５２０と、この枠体５１０，５２０の長辺同士の間に設けられた柵状体５１１，５２１とを備えている。この枠体５１０，５２０は木製の４本の角材を組んで形成されている一方、柵状体５１１，５２１は細い金属棒を格子状に組み上げて形成されている。
【００２９】
各屋根部材５１，５２は、互いに隣接する隣接辺（枠体５１０，５２０の前後の長辺）同士がヒンジ５０によって中折れ可能に支持されている。各屋根部材５１，５２は、互いに離反する離反辺（枠体５１０，５２０の前後の長辺）近傍の左右両側辺（枠体５１０，５２０の左右の短辺）よりそれぞれ左右方向外方向きに突出する前後の左右一対の突起５１２，５１２，５２２，５２２を備えている。これらの突起５１２，５１２，５２２，５２２は、円柱状に形成されている。また、前側の屋根部材５１の枠体５１０の左右の短辺の後端には、ロック部材５３がそれぞれ設けられている。この各ロック部材５３は、左右方向へ進退自在な係止軸５３１を備えている。
【００３０】
各突起５１２，５２２のうちの後側の左右一対の突起５２２，５２２は、左右両側枠４２，４３の枠体４２０，４３０の後端に回動自在に支持されている。一方、前側の左右一対の突起５１２，５１２は、左右両側枠４２，４３の枠体４２０，４３０の上端部をそれぞれ前後方向へ延びる溝としての上端スライド溝４２５，４３５内に摺動自在に支持されている。
【００３１】
また、図３及び図４に示すように、左右両側枠４２，４３の枠体４２０，４３０上端部の上端スライド溝４２５，４３５には、その前後方向の略中央位置において下方に凹設された中央凹部４２５ａ，４３５ａと、前後方向の後端位置において下方に凹設された後端凹部４２５ｂ，４３５ｂと、中央凹部４２５ａ，４３５ａと後端凹部４２５ｂ，４３５ｂとの略中間位置において下方に凹設された後中間凹部４２５ｃ，４３５ｃとが設けられている。この左右両側枠４２，４３の枠体４２０，４３０の前後両下端には、それぞれキャスタ４２８，４３８が取り付けられている。
【００３２】
上端スライド溝４２５，４３５の中央凹部４２５ａ，４３５ａは、左右方向外方に凹設された穴部４２５ｄ，４３５ｄを有している。各ロック部材５３の係止軸５３１の先端は、図示しない付勢ばねによって左右方向外方向きに付勢され、ペット収容空間２Ａの上方が各屋根部材５１，５２によって覆われた閉塞状態にあるときに溝４２５，４３５の中央凹部４２５ａ，４３５ａの穴部４２５ｄ，４３５ｄに進出して挿通され、各屋根部材５１，５２による閉塞状態を保持している。そして、各ロック部材５３の係止軸５３１の基端は、前側の屋根部材５１の枠体５１０よりも左右方向内方に露呈しており、この露呈する基端によって、各係止軸５３１の先端を穴部４２５ｄ，４３５ｄから付勢ばねの付勢力に抗して退出させる操作を可能にしている。
【００３３】
図１０は左側枠４２の上部において開閉する２枚の屋根部材５１，５２の段階的な動作をペット収容空間２Ａ側から示す側面図を示している。また、図１１は屋根部材５１，５２によりペット収容空間２Ａの上方の開口面積の略半分を開放させた状態でのペット用ケージ１Ａの斜視図、図１２は屋根部材５１，５２によりペット収容空間２Ａの上方の開口面積の略３／４を開放させた状態でのペット用ケージ１Ａの斜視図、図１３は屋根部材５１，５２によりペット収容空間２Ａの上方の開口面積をほぼ全開放させた状態でのペット用ケージ１Ａの斜視図をそれぞれ示している。
【００３４】
図１０に示すように、上端スライド溝４２５，４３５の中央凹部４２５ａ，４３５ａには、各ロック部材５３の係止軸５３１の先端を付勢ばねの付勢力に抗して穴部４２５ｄ，４３５ｄから退出させた際にその係止軸５３１の先端をそれぞれ上端スライド溝４２５，４３５から離脱させる切欠５４が設けられている。そして、図１１〜図１３にも示すように、前側の左右一対の突起５１２，５１２は、切欠５４を介して各ロック部材５３の係止軸５３１の先端を上端スライド溝４２５，４３５から離脱させることで、各屋根部材５１，５２がヒンジ５０により中折れして中央凹部４２５ａ，４３５ａ、後中間凹部４２５ｃ，４３５ｃ、又は後端凹部４２５ｂ，４３５ｂに係止されて、各屋根部材５１，５２の開放姿勢が保持される。
【００３５】
具体的には、前側の各突起５１２，５１２が中央凹部４２５ａ，４３５ａに係止されると、屋根部材５１，５２によりペット収容空間２Ａの上方の開口面積の略半分が開放する（図１１に示す状態）。また、前側の各突起５１２，５１２が後中間凹部４２５ｃ，４３５ｃに係止されると、屋根部材５１，５２によりペット収容空間２Ａの上方の開口面積の略３／４が開放する（図１２に示す状態）。更に、前側の各突起５１２，５１２が後端凹部４２５ｂ，４３５ｂに係止されると、屋根部材５１，５２によりペット収容空間２Ａの上方の開口面積がほぼ全開放する（図１３に示す状態）。
【００３６】
図１４は屋根部材５１，５２によりペット収容空間２Ａの上方の開口面積をほぼ全開放させかつ前枠３を下方にスライドさせた状態でのペット用ケージ１Ａの斜視図を示している。この図１４に示すように、屋根部材５１，５２によりペット収容空間２Ａの上方の開口面積をほぼ全開放させかつ前枠３を下方にスライドさせると、ペット収容空間２Ａが前方下端から上方後端まで広範囲に亘って連続的に開放するので、ペット収容空間２Ａの清掃作業を制約されることなく隅々まで円滑に行うことができる。
【００３７】
そして、図６及び図７にも示すように、前枠３には、当該前枠３が各前端スライド溝４２２，４３２の上部においてスライド不能に保持された状態でペット収容空間２Ａからのペットの出入りを可能とする略矩形状の出入口３３が設けられている。この出入口３３は、前枠３の枠体３０の左右一側辺（枠体３０の左右一側の短辺）とその枠体３０のほぼ中央を上下方向に延びる縦杆３０１との間に設けられ、前枠３の表面積の略半分の大きさを占めている。また、前枠３には、出入口３３を開閉する扉３４が設けられている。この扉３４は、略矩形枠状の枠体３４０と、この枠体３４０の上下両端間に設けられた柵状体３４１とを備えている。そして、扉３４は、その枠体３４０の左右方向一辺が上下一対のヒンジ３８，３８（図１６に表れる）を介して前枠３の枠体３０の縦杆３０１に連結されて外開き可能とされ、出入口３３を閉塞した際にロック部材５３と同様の係止軸３５１を有するロック部材３５によってロックされる。これにより、扉３４開放時にペット収容空間２Ａの前方への開口面積は前枠３の表面積の略半分の大きさで済み、高床式の利点を有効利用しつつ、扉３４開放時の軌跡を非常に小さなコンパクトなものにして扉３４開放時に障害物を取り除く作業の煩わしさを軽減することができる。
【００３８】
図１５は前枠３の出入口３３の周縁に取り付けられるスロープの平面図、図１６はスロープを取り付けた状態でのペット用ケージ１Ａの斜視図をそれぞれ示している。図１５及び図１６において、前枠３の出入口３３の開口縁の左右両位置、つまり前枠３の枠体３０の左右一側辺と縦杆３０１とには、ケージ本体１０Ａを設置するフロア面Ｆとペット収容空間２Ａの床２１との高低差を解消するスロープ３６の上端が取付部材としてのロック部材３７，３７によって脱着自在に取り付けられている。この各ロック部材３７は、ロック部材５３と同様の構成とされ、スロープ３６の上端の左右両位置に取り付けられている。このスロープ３６の表面には、幅方向に延びる凹状の複数の滑り止め用の溝３６１，３６１，…が長手方向等間隔置きに設けられている。
【００３９】
各ロック部材３７は、左右方向へ進退自在な係止軸３７１を備えている。そして、各ロック部材５３の係止軸５３１の先端は、図示しない付勢ばねによって左右方向外方向きに付勢され、扉３４を全開にしておいた状態で、前枠３の枠体３０の左右一側辺と縦杆３０１とにそれぞれ左右方向外方向きに凹設された穴部（図示せず）に進出して挿通されることで、スロープ３６をフロア面Ｆとペット収容空間２Ａの床２１との間に架け渡した状態に固定している。これにより、前枠３の出入口３３の開口縁の左右両位置となる前枠３の枠体３０の左右一側辺と縦杆３０１とにスロープ３６の上端を確実に固定して、高床式のペット用ケージ１Ａのペット収容空間２Ａにペットを無理なく自力で安全に出入りさせることができる。
【００４０】
図１７はペット用ケージ１Ａの棚部材の平面図を示している。この図１７にも示すように、ペット収容空間２Ａの床２１の下方には、その床材とほぼ同じ形状の棚部材１３が設けられている。この棚部材１３には、その後側部分の前後両位置よりそれぞれ左右方向外方向きに突出する左右合わせて４本の突起１３１，１３１，…が設けられている。これらの突起１３１，１３１，…は、円柱状に形成され、左右両側枠４２，４３の枠体４２０，４３０の下端部をそれぞれ前後方向へ延びる下端スライド溝４２６，４３６内に摺動自在に支持されている。左側枠４２の枠体４２０の下端スライド溝４２６には、右側枠４３の枠体４３０の下端スライド溝４３６に棚部材１３右側の前後の両突起１３１，１３１を挿通した状態で、棚部材１３左側の前後の両突起１３１，１３１を挿通させる切欠４２７，４２７が設けられている。そして、棚部材１３は、後側の左右の突起１３１，１３１が下端スライド溝４２６の後端に当接する格納位置（図１３に示す位置）と、前側の左右の突起１３１，１３１が下端スライド溝４２６の前端に当接する引出位置（図２に示す位置）との間で出し入れ可能に構成されている。
【００４１】
なお、本実施の形態では、前枠３、扉３４、左右両側枠４２，４３、及び屋根部材５１，５２における枠体３０，３４０，４２０，４３０，５１０，５２０の上下両端間又は長辺同士の間に柵状体３１，３４１，４２１，４３１，５１１，５２１を設けたが、図１８〜図２１に示すように、前枠３、扉３４、左右両側枠４２，４３、及び屋根部材５１，５２の枠体３０，３４０，４２０，４３０，５１０，５２０の上下両端間又は長辺同士の間に透明、半透明又は不透明なパネル材３１ａ，３４１ａ，４２１ａ，４３１ａ，５１１ａ，５２１ａが設けられていてもよい。この場合、棚部材１３は、左右両側枠４２，４３の枠体４２０，４３０の下端部に摺動不能に固着されている。
【００４２】
また、本実施の形態では、前枠３の表面積の略半分の大きさを占める出入口３３としたが、出入口の大きさはこれに限定されるものではなく、前枠の大きさとペットの大きさとに応じてその表面積の略四分の一以上でかつ略四分の三以下であればよい。
【００４３】
また、本実施の形態では、スロープ３６の表面に凹状の滑り止め用の溝３６１を長手方向等間隔置きに複数設けたが、スロープの表面にカーペットやシート状のコルク材などが貼り付けられていてもよい。
【００４４】
更に、本実施の形態では、前枠３の枠体３０の左右一側辺と縦杆３０１とにスロープ３６の上端が脱着自在に取り付けたが、前枠３の枠体３０の左右一側辺と縦杆３０１とに階段上端を脱着自在に取り付けて、ケージ本体を設置するフロア面とペット収容空間の床との高低差を解消するようにしてもよい。
【００４５】
次に、本発明の第２の実施の形態を図２２〜図２６に基づいて説明する。
【００４６】
この実施の形態では、ペット用ケージのケージ本体の左右方向の長さを変更している。なお、ケージ本体の前枠、周囲枠及び各屋根部材の枠体を除くその他の構成は、前記第１の実施の形態の場合と同じであり、同一の部分については同じ符号を付してその詳細な説明は省略する。図２２は本発明の第２の実施の形態に係る高床式のペット用ケージの平面図、図２３はペット用ケージの斜視図、図２４はペット用ケージの後枠をペット収容空間側から見た背面図、図２５はペット用ケージの前枠を前方から見た正面図、図２６はペット用ケージの２枚の屋根部材を上方から見た平面図をそれぞれ示している。
【００４７】
すなわち、本実施の形態では、図２２〜図２６において、ペット用ケージ１Ｂは、ペット収容空間２Ｂの床２１を高床式に形成するケージ本体１０Ｂを備えている。ペット収容空間２Ｂは、その前面側を覆う前枠６と、残る周囲を覆う周囲枠７とによって囲まれている。周囲枠７は、後枠７１と左右両側枠４２，４３とを備え、平面視で略コの字状に形成されている。また、周囲枠７は、その両端に左右両端が連結された前枠６とを合わせてペット収容空間２Ｂを平面視で略ロの字状に囲むように形成されている。この場合、前枠６及び後枠７１は、左右方向の長さが約１２０ｃｍに設定されている。
【００４８】
前枠６は、木製の４本の角材を組んで幅広な略矩形枠状に形成された枠体６０と、この枠体６０の上下両端間に設けられた柵状体３１とを備えている。一方、後枠７１は、室内の壁面に沿って配置される関係上、略矩形枠状の枠体７１０と、この枠体７１０内に設けられた木製のパネル材７１１とを備えている。この後枠７１は、パネル材７１１によって、枠体７１０内を覆って壁面を保護し、壁面へのペットによる汚れの付着を効果的に防止している。
【００４９】
前枠６の枠体６０の左右両端は、周囲枠７の両端、つまり左右両側枠４２，４３の枠体４２０，４３０の前端スライド溝４２２，４３２に上下方向へスライド自在に支持されている。これにより、高床式の利点を有効利用して、掃除する際に前枠６を前方へ開放させることなく下方へスライド移動させてペット収容空間２Ｂ前方の幅広な開口面積を大きく確保することができる。
【００５０】
また、前枠６は、各前端スライド溝４２２，４３２の上部に位置しているときつまりペット収容空間２Ｂの前面側を覆っているときに、各進退軸部材３２が各前端スライド溝４２２，４３２上端の貫通孔４２３，４３３に進出して挿通されると、各前端スライド溝４２２，４３２の上部においてスライド不能に保持され、下方へスライド自在な前枠６をペット収容空間２Ｂの前面側を覆う位置で拘束している。そして、前枠６の枠体６０の左右両端と左右両側枠４２，４３の枠体４２０，４３０の前端上部とが各進退軸部材３２により係止されると、左右両側枠４２，４３の枠体４２０，４３０の前端上部の前枠６から離反する方向への開きを確実に防止できる。
【００５１】
ペット収容空間２Ｂの上方を覆う前後２枚の屋根部材８１，８２は、４本の角材を組んで略矩形枠状に形成された枠体８１０，８２０と、この枠体８１０，８２０の長辺同士の間に設けられた柵状体５１１，５２１とを備えている。各屋根部材８１，８２は、互いに隣接する隣接辺（枠体８１０，８２０の前後の長辺）同士がヒンジ５０によって中折れ可能に支持されている。各屋根部材８１，８２は、互いに離反する離反辺（枠体８１０，８２０の前後の長辺）近傍の左右両側辺（枠体８１０，８２０の左右の短辺）よりそれぞれ左右方向外方向きに突出する前後の左右一対の突起８１２，８１２，８２２，８２２を備えている。これらの突起８１２，８１２，８２２，８２２は、円柱状に形成されている。また、前側の屋根部材８１の枠体８１０の左右の短辺の後端には、ロック部材５３がそれぞれ設けられている。
【００５２】
各突起８１２，８２２のうちの後側の左右一対の突起８２２，８２２は、左右両側枠４２，４３の枠体４２０，４３０の後端に回動自在に支持されている。一方、前側の左右一対の突起８１２，８１２は、左右両側枠４２，４３の枠体４２０，４３０の上端スライド溝４２５，４３５内に摺動自在に支持されている。そして、前側の各突起８１２，８１２は、上端スライド溝４２５，４３５の中央凹部４２５ａ，４３５ａ、後中間凹部４２５ｃ，４３５ｃ、又は後端凹部４２５ｂ，４３５ｂに係止され、これによって、屋根部材８１，８２によるペット収容空間２Ｂの上方の開口面積を変更している。
【００５３】
前枠６には、当該前枠６が各前端スライド溝４２２，４３２の上部においてスライド不能に保持された状態でペット収容空間２Ｂからのペットの出入りを可能とする略矩形状の出入口６３が設けられている。この出入口６３は、前枠６の枠体６０の左右一側辺（枠体６０の左右一側の短辺）とその枠体６０の中央よりも左右一側辺寄りを上下方向に延びる縦杆６０１との間に設けられ、前枠６の表面積の略三分の一の大きさを占めている。また、前枠６には、出入口６３を開閉する扉３４が設けられている。これにより、扉３４開放時にペット収容空間２Ｂの前方への開口面積は前枠６の表面積の略三分の一の大きさで済み、高床式の利点を有効利用しつつ、扉３４開放時の軌跡を非常に小さなコンパクトなものにして扉３４開放時に障害物を取り除く作業の煩わしさを軽減することができる。
【００５４】
なお、本実施の形態では、前枠６、左右両側枠４２，４３、及び屋根部材８１，８２における枠体６０，４２０，４３０，８１０，８２０の上下両端間又は長辺同士の間に柵状体３１，４２１，４３１，５１１，５２１を設けたが、前枠、左右両側枠及び屋根部材の枠体の上下両端間又は長辺同士の間に透明、半透明又は不透明なパネル材が設けられていてもよい。
【符号の説明】
【００５５】
１Ａ，１Ｂ      ペット用ケージ
１０Ａ，１０Ｂ  ケージ本体
２Ａ，２Ｂ      ペット収容空間
２１            床
３              前枠
３２            進退軸部材
３２１          進退軸部材の係止片部
３２２          進退軸部材の係止軸
３３            出入口
３４            扉
３６            スロープ
３７            ロック部材（取付部材）
４              周囲枠
４１            後枠（枠）
４１０          枠体
４１１          パネル材
４２，４３      左右両側枠
４２２，４３２  前端スライド溝（スライド溝）
４２３，４３３  貫通孔（挿通孔）
４２４，４３４  貫通孔の凹部
５０            ヒンジ
５１，５２      屋根部材
６              前枠
６３            出入口
７              周囲枠
７１            後枠（枠）
７１０          枠体
７１１          パネル材
８１，８２      屋根部材
Ｆ              フロア面（設置面）
【図１】
2017035039.tif 000003
【図２】
2017035039.tif 000004
【図３】
2017035039.tif 000005
【図４】
2017035039.tif 000006
【図５】
2017035039.tif 000007
【図６】
2017035039.tif 000008
【図７】
2017035039.tif 000009
【図８】
2017035039.tif 000010
【図９】
2017035039.tif 000011
【図１０】
2017035039.tif 000012
【図１１】
2017035039.tif 000013
【図１２】
2017035039.tif 000014
【図１３】
2017035039.tif 000015
【図１４】
2017035039.tif 000016
【図１５】
2017035039.tif 000017
【図１６】
2017035039.tif 000018
【図１７】
2017035039.tif 000019
【図１８】
2017035039.tif 000020
【図１９】
2017035039.tif 000021
【図２０】
2017035039.tif 000022
【図２１】
2017035039.tif 000023
【図２２】
2017035039.tif 000024
【図２３】
2017035039.tif 000025
【図２４】
2017035039.tif 000026
【図２５】
2017035039.tif 000027
【図２６】
2017035039.tif 000028